(57)【要約】【課題】定着装置において、光の照射により加熱された領域を冷却するのに必要な冷却部分を縮小する【解決手段】定着装置５０は、トナー像が形成された用紙ｐを支持する支持ローラ１０５と、支持ローラ１０５に対して用紙ｐ側からレーザ光ＬＢを照射する照射部１０１と、複数の用紙ｐを搬送路ｒに沿って順に搬送する平面状の搬送ベルト１０７１であって、支持ローラ１０５よりも搬送路ｒの上流側または下流側の少なくとも一方にある搬送ベルト１０７１とを有する。【選択図】図３
2014102347.tif 000002
【特許請求の範囲】
【請求項１】
光を吸収して定着される画像形成材料による画像が形成された記録媒体に接するローラと、
前記ローラに対して前記記録媒体側から光を照射する照射部と、
複数の前記記録媒体を搬送路に沿って順に搬送する平面状の搬送部材であって、前記ローラよりも前記搬送路の上流側または下流側の少なくとも一方にある搬送部材と
を有する定着装置。
【請求項２】
前記搬送部材は、前記ローラよりも前記搬送路の上流側および下流側に配され、前記記録媒体に接するベルトを有する
ことを特徴とする請求項１に記載の定着装置。
【請求項３】
前記ローラによる前記光の反射率は、前記搬送部材による前記光の反射率よりも高い
ことを特徴とする請求項１または２に記載の定着装置。
【請求項４】
前記搬送路に対向し、前記照射部により照射された光および前記記録媒体により反射された反射光を通過させる開口部と、前記開口部を通過した前記反射光を前記記録媒体に反射する反射面とを有する反射部材を有し、
前記搬送部材は、前記照射部からみて前記開口部の外側にある
ことを特徴とする請求項１ないし３のいずれか一項に記載の定着装置。
【請求項５】
前記搬送部材は、前記ローラに対して前記搬送路の上流側および下流側にあって、前記ローラが接する前記記録媒体に対して、前記搬送路に沿った張力を与える
ことを特徴とする請求項１ないし４のいずれか一項に記載の定着装置。
【請求項６】
前記搬送部材は、前記ローラに対して前記搬送路の上流側および下流側にあって、前記搬送部材が前記記録媒体に接する領域と前記ローラが前記記録媒体に接する領域とが、前記搬送路に垂直な方向において一致するように並んでいる
ことを特徴とする請求項１ないし４のいずれか一項に記載の定着装置。
【請求項７】
前記照射部は、レーザー光を照射する
ことを特徴とする請求項１ないし６のいずれか一項に記載の定着装置。
【請求項８】
光を吸収して定着される画像形成材料による画像を記録媒体に転写する転写部と、
前記転写部により前記画像が転写された記録媒体に接するローラと、
前記ローラに対して前記記録媒体側から光を照射する照射部と、
複数の前記記録媒体を搬送路に沿って順に搬送する平面状の搬送部材であって、前記ローラよりも前記搬送路の上流側または下流側の少なくとも一方にある搬送部材と
を有する画像形成装置。
【発明の詳細な説明】
【技術分野】
【０００１】
本発明は、定着装置および画像形成装置に関する。
【背景技術】
【０００２】
トナー像が形成された記録媒体にレーザ光を照射してトナーを記録媒体に定着させる定着装置が知られている。特許文献１には、レーザ光を透過する性質を有する搬送ベルトを用いることにより、搬送ベルトがレーザ光を照射されて破損することを抑制する技術が記載されている。
【先行技術文献】
【特許文献】
【０００３】
【特許文献１】特開２０１１−１０７６５８号公報
【発明の概要】
【発明が解決しようとする課題】
【０００４】
本発明は、定着装置において、光の照射により加熱された領域を冷却するのに必要な冷却部分を縮小することを目的とする。
【課題を解決するための手段】
【０００５】
請求項１に係る定着装置は、光を吸収して定着される画像形成材料による画像が形成された記録媒体に接するローラと、前記ローラに対して前記記録媒体側から光を照射する照射部と、複数の前記記録媒体を搬送路に沿って順に搬送する平面状の搬送部材であって、前記ローラよりも前記搬送路の上流側または下流側の少なくとも一方にある搬送部材とを有する。
【０００６】
請求項２に係る定着装置は、請求項１に記載の構成において、前記搬送部材は、前記ローラよりも前記搬送路の上流側および下流側に配され、前記記録媒体に接するベルトを有することを特徴とする。
【０００７】
請求項３に係る定着装置は、請求項１または２に記載の構成において、前記ローラによる前記光の反射率は、前記搬送部材による前記光の反射率よりも高いことを特徴とする。
【０００８】
請求項４に係る定着装置は、請求項１ないし３のいずれか一項に記載の構成において、前記搬送路に対向し、前記照射部により照射された光および前記記録媒体により反射された反射光を通過させる開口部と、前記開口部を通過した前記反射光を前記記録媒体に反射する反射面とを有する反射部材を有し、前記搬送部材は、前記照射部からみて前記開口部の外側にあることを特徴とする。
【０００９】
請求項５に係る定着装置は、請求項１ないし４のいずれか一項に記載の構成において、前記搬送部材は、前記ローラに対して前記搬送路の上流側および下流側にあって、前記ローラが接する前記記録媒体に対して、前記搬送路に沿った張力を与えることを特徴とする。
【００１０】
請求項６に係る定着装置は、請求項１ないし４のいずれか一項に記載の構成において、前記搬送部材は、前記ローラに対して前記搬送路の上流側および下流側にあって、前記搬送部材が前記記録媒体に接する領域と前記ローラが前記記録媒体に接する領域とが、前記搬送路に垂直な方向において一致するように並んでいることを特徴とする。
【００１１】
請求項７に係る定着装置は、請求項１ないし６のいずれか一項に記載の構成において、前記照射部は、レーザー光を照射することを特徴とする。
【００１２】
請求項８に係る画像形成装置は、光を吸収して定着される画像形成材料による画像を記録媒体に転写する転写部と、前記転写部により前記画像が転写された記録媒体に接するローラと、前記ローラに対して前記記録媒体側から光を照射する照射部と、複数の前記記録媒体を搬送路に沿って順に搬送する平面状の搬送部材であって、前記ローラよりも前記搬送路の上流側または下流側の少なくとも一方にある搬送部材とを有する。
【発明の効果】
【００１３】
請求項１に係る発明によれば、本発明を用いない場合に比べて冷却部分が縮小されることが期待できる。
請求項２に係る発明によれば、特に枚葉紙を用いた場合に、本発明を用いない場合に比べて、搬送の安定性を確保しつつ冷却部分が縮小されることが期待できる。
請求項３に係る発明によれば、ローラによる光の反射率が、搬送部材による光の反射率よりも低い場合と比べて、照射部から照射された光によりローラが加熱されることを抑制することができる。
請求項４に係る発明によれば、照射部からみて反射部材の開口部の内側に搬送部材がある場合と比べて、照射部から照射された光により搬送部材が加熱されることを抑制することができる。
請求項５に係る発明によれば、搬送路に沿った張力が記録媒体に与えられない場合と比べて、画像が記録媒体に定着するときのムラを低減することができる。
請求項６に係る発明によれば、搬送部材が記録媒体に接する領域とローラが記録媒体に接する領域とが、搬送路に垂直な方向において一致していない場合と比べて、記録媒体が安定して搬送される。
請求項７に係る発明によれば、照射部からレーザ光が照射される場合に、搬送部材が加熱されることを抑制することができる。
請求項８に係る発明によれば、本発明を用いない場合に比べて冷却部分が縮小されることが期待できる。
【図面の簡単な説明】
【００１４】
【図１】画像形成装置の内部構成を示す概略図
【図２】定着装置を搬送方向の上流側から見た断面模式図
【図３】定着装置を幅方向の一方側から見た断面模式図
【図４】変形例２に係る定着装置を幅方向の一方側から見た断面模式図
【図５】変形例３に係る定着装置を幅方向の一方側から見た断面模式図
【発明を実施するための形態】
【００１５】
図１は、本発明の一実施形態に係る画像形成装置１の内部構成の概略を示す図である。画像形成装置１は、複写機、プリンタ、スキャナ、およびファクシミリなどとして機能する装置である。画像形成装置１は、筐体１００内に、収容部１０、供給ローラ２０、搬送ローラ３０、転写部４０、定着装置５０、および排出ローラ６０を有する。収容部１０は、用紙ｐ（記録媒体の一例）を収容する。供給ローラ２０は、収容部１０に収容された用紙ｐの１枚と接触し、用紙ｐを搬送路ｒ（鎖線）に沿って供給する。搬送ローラ３０は、円筒状の部材であり、円筒の中心を軸として回転し、供給ローラ２０により供給された用紙ｐを搬送する。用紙ｐは搬送ローラ３０ａおよび３０ｂによって搬送されて転写部４０を通過する。転写部４０は、搬送ローラ３０により搬送された用紙ｐにトナー像（画像の一例）を転写する。以下では、用紙ｐのトナー像が転写される面を「表」、トナー像が転写されない面を「裏」という。定着装置５０は、転写部４０により転写されたトナー像を光を照射することにより加熱して用紙ｐに定着させる。排出ローラ６０は、トナー像が定着した用紙ｐを画像形成装置１から排出する。
【００１６】
転写部４０は、感光体ドラム４０１、帯電器４０２、露光装置４０３、現像装置４０４、トナーカートリッジ４０５、中間転写ベルト４０６、回転ローラ４０７、一次転写ローラ４０８、二次転写ローラ４０９、およびバックアップローラ４１０を有する。感光体ドラム４０１は、外周面に光導電膜を積層した円筒状の部材であり、円筒の中心を軸として回転するように支持される。感光体ドラム４０１は、中間転写ベルト４０６と接触するように配置され、中間転写ベルト４０６の移動に伴って、図中の矢印Ａ１の方向に回転する。帯電器４０２は、例えばスコロトロン帯電器であり、感光体ドラム４０１の光導電膜を予め定められた電位に帯電させる。露光装置４０３は、帯電器４０２により帯電させられた感光体ドラム４０１を露光して、静電潜像を形成する。現像装置４０４は、Ｙ（Yellow）、Ｍ（Magenta）、Ｃ（Cyan）、Ｋ（Black）のいずれかの色のトナーと、フェライト粉などの磁性体キャリアとを含む二成分現像剤を収容する。現像装置４０４は、感光体ドラム４０１上に形成された静電潜像にトナーを付着させてトナー像を形成する。現像装置４０４は、トナー補給路を介してトナーカートリッジ４０５に接続され、図示せぬディスペンスモータの回転駆動によりトナーカートリッジ４０５からトナーの補給を受ける。中間転写ベルト４０６は、無端のベルト状の部材であり、図中の矢印Ａ２の方向に回転する。回転ローラ４０７は、中間転写ベルト４０６の移動を支持する円筒状の部材であり、円筒の中心を軸として回転する。一次転写ローラ４０８は、中間転写ベルト４０６を挟んで感光体ドラム４０１と対向する円筒状の部材である。一次転写ローラ４０８は、図示せぬ電源から転写バイアスを印加され、感光体ドラム４０１との間に電位差を生じさせて、感光体ドラム４０１の表面のトナー像を中間転写ベルト４０６の表面に転写する。二次転写ローラ４０９は、中間転写ベルト４０６を挟んでバックアップローラ４１０と対向する円筒状の部材である。二次転写ローラ４０９は、図示せぬ電源から転写バイアスを印加され、バックアップローラ４１０との間に電位差を生じさせて、中間転写ベルト４０６の表面のトナー像を用紙ｐに転写する。
【００１７】
画像形成装置１は、また、図示せぬ制御部、通信部、および記憶部を有する。制御部は、上述した画像形成装置１の各部の動作を制御する。制御部は、ＣＰＵ（Central Processing Unit）と、ＲＯＭ（Read Only Memory）と、ＲＡＭ（Random Access Memory）とを有する。通信部は、パーソナルコンピュータまたはファクシミリなどの外部装置と接続し、画像データの送受信を行う。記憶部は、制御部により用いられるデータおよびプログラムを記憶する装置、例えばＨＤＤ（Hard Disk Drive）を有する。以上の構成により、画像形成装置１は、搬送路ｒに沿って用紙ｐを搬送する過程で用紙ｐへのトナー像の形成および定着を行う。以下では、用紙ｐが搬送される方向を単に「搬送方向」といい、搬送方向に直交する方向を「幅方向」という。
【００１８】
図２は、本発明の一実施形態に係る定着装置５０を搬送方向の上流側から見た断面模式図である。図３は、定着装置５０を幅方向の一方側から見た断面模式図である。ｘ軸は幅方向、ｙ軸は搬送方向、ｚ軸は高さ方向（鉛直上向き方向）を表す。定着装置５０は、照射部１０１、光学部材１０２、反射部材１０３、仕切り部材１０４、支持ローラ１０５、冷却部１０６、および搬送手段１０７を有する。なお図２において、冷却部１０６および搬送手段１０７は省略している。
【００１９】
照射部１０１は、搬送ローラ３０により搬送される用紙ｐにレーザ光ＬＢを照射する。照射部１０１は、レーザ光ＬＢを発生させる複数の光源１０１１を有する。光軸ａ１は、レーザ光ＬＢの光軸である。光源１０１１は、図２に示すように、幅方向に沿って間隔ｇで並んでいる。間隔ｇは、用紙ｐのトナー像が形成され得る領域の全体にレーザ光ＬＢが照射されるように決められる。図２において、照射部１０１は、４つの光源１０１１を有する。光源１０１１は、また、図３に示すように、搬送方向に複数並んでいる。図３においては、２つの光源１０１１が搬送方向に並んでいる。レーザ光ＬＢの波長は、トナーを溶融させるに足りるエネルギーをトナーに与えられるのであればどのような波長であってもよい。レーザ光ＬＢとしては、例えば、赤外線が用いられる。この場合、現像装置４０４では、赤外線を吸収する材料を混入させたトナーを用いる。
【００２０】
光学部材１０２は、光源１０１１から照射されたレーザ光ＬＢが伝播する方向を制御する部材、例えばレンズである。光学部材１０２は、一の光源１０１１に対して、それぞれ一枚ずつ設けられる。図２では、幅方向に並んだ４つの光源１０１１のそれぞれに対応させて、４枚の光学部材１０２が設けられている。また図３では、搬送方向に並んだ２つの光源１０１１のそれぞれに対応させて、２枚の光学部材１０２が設けられている。光源１０１１から照射されたレーザ光ＬＢは、光学部材１０２に向かって伝播する。光学部材１０２は、図３に示すように、幅方向から見た断面が凸型を成しており、レーザ光ＬＢを搬送方向に収束させる。光学部材１０２は、搬送方向の照射幅が定められた範囲内（例えば、１．０±０．１ｍｍ）に収まるように、レーザ光ＬＢを収束させる。また、光学部材１０２は、図２に示すように、搬送方向から見た断面が矩形であり、レーザ光ＬＢを幅方向に屈折させることなく透過させる。レーザ光ＬＢは、光学部材１０２を透過すると、反射部材１０３に向かって伝播する。
【００２１】
反射部材１０３は、図２に示すように搬送方向から見た断面が矩形を成しており、図３に示すように幅方向から見た断面がアーチ状を成している。反射部材１０３は、孔１０３１、開口部１０３２、および反射面１０３３を有する。孔１０３１は、光源１０１１から照射されたレーザ光ＬＢを反射部材１０３の内側に通過させる。開口部１０３２は、搬送路ｒと対向しており、反射部材１０３の内側を伝播したレーザ光ＬＢを通過させる。開口部１０３２を通過したレーザ光ＬＢは搬送路ｒ上の幅方向に延びる照射領域Ｄ１に照射される。用紙ｐにレーザ光ＬＢが照射されると、用紙ｐの表のトナー粒子が付着していない領域では、レーザ光ＬＢが反射される。用紙ｐの表面では鏡面反射と拡散反射が生じるので、レーザ光ＬＢはあらゆる方向に反射する。開口部１０３２は、また、用紙ｐの表面で反射された反射光を通過させる。反射面１０３３は、反射部材１０３の内側であって、搬送路ｒと対向する面である。反射面１０３３は、開口部１０３２を通過した反射光を用紙ｐに反射する。反射面１０３３は、レーザ光ＬＢを反射させるための加工が施されている。例えば、反射部材１０３はアルミニウム等の金属で作製され、反射面１０３３が鏡面に研磨されてもよいし、反射面１０３３に銀等でめっきが施されてもよい。反射光は、反射面１０３３で反射されることによって、その一部がトナー粒子に吸収され、残りは再び用紙ｐの表面で反射される。このように、用紙ｐの表面と反射部材１０３の反射面１０３３とでレーザ光ＬＢの反射が繰り返されると、反射面１０３３で反射されたレーザ光ＬＢの一部がトナーに吸収されてトナーの加熱および溶融が促進される。
【００２２】
レーザ光ＬＢにより、加熱されたトナーの一部は昇華して気体となり、これが冷却されて粉塵が発生する場合がある。仕切り部材１０４は、反射部材１０３で囲まれた空間に粉塵が入り込まないように照射部１０１と搬送路ｒとの間を仕切る。仕切り部材１０４は、短辺と長辺とを有する矩形且つ板状の部材であり、光を透過する材料、例えば石英ガラスにより形成される。仕切り部材１０４は、開口部１０３２において、短辺が搬送方向に、長辺が幅方向に沿うように反射部材１０３により支持される。
【００２３】
支持ローラ１０５は、トナー像が転写された用紙ｐを支持する。支持ローラ１０５は、また、用紙ｐの搬送に伴って回転軸ａ２を中心に矢印Ａ３の方向に回転する。回転軸ａ２は、中空の軸である。支持ローラ１０５は、側面が開口部１０３２に向かい合うように設けられる。支持ローラ１０５の側面には、用紙ｐ側からレーザ光ＬＢが照射される。図３では、支持ローラ１０５は、照射領域Ｄ１において用紙ｐを支持している。支持ローラ１０５は、後述する搬送手段１０７よりも光の反射率が高くなるように設計されている。
【００２４】
冷却部１０６は、レーザ光ＬＢが照射されることにより加熱された支持ローラ１０５を冷却する。冷却部１０６は、回転軸ａ２の内部に水を送り出すことにより支持ローラ１０５を冷却する。
【００２５】
搬送手段１０７は、搬送部材（搬送ベルト）１０７１および駆動ローラ１０７２を有し、複数の用紙ｐを搬送路ｒに沿って順に搬送する。搬送ベルト１０７１は、無端のベルト状の部材であり用紙ｐに接する。搬送ベルト１０７１は、図示せぬ帯電装置により予め定められた電位に帯電させられており、用紙ｐを吸着する。駆動ローラ１０７２は、矢印Ａ４に示す方向に回転する一対のローラである。駆動ローラ１０７２ａは搬送路ｒの下流側のローラであり、駆動ローラ１０７２ｂは搬送路ｒの上流側のローラである。駆動ローラ１０７２ａは図示せぬ電源により回転駆動され、駆動ローラ１０７２ｂは駆動ローラ１０７２ａの回転に伴って回転する。駆動ローラ１０７２が矢印Ａ４に示す方向に回転駆動すると、搬送ベルト１０７１は矢印Ａ５に示す方向に回転する。搬送手段１０７は、支持ローラ１０５に対して搬送路ｒの上流側または下流側の少なくとも一方に設けられる。図３に示す例では、搬送手段１０７は、支持ローラ１０５に対して搬送路ｒの上流側および下流側にそれぞれ設けられている。搬送手段１０７ａは搬送路ｒの上流側の搬送手段であり、搬送手段１０７ｂは搬送路ｒの下流側の搬送手段である。搬送手段１０７は、また、照射部１０１からみて開口部１０３２の外側に設けられる。具体的には、搬送手段１０７ａは、駆動ローラ１０７２ａが、開口部１０３２の搬送方向の上流側の辺よりも上流（矢印Ｄ２で示した領域）にくるように設けられる。また、搬送手段１０７ｂは、上流側の駆動ローラ１０７２ｂが、開口部１０３２の搬送方向の下流側の辺よりも下流（矢印Ｄ３で示した領域）にくるように設けられる。
【００２６】
特に枚葉紙（カット紙ともいい、連帳紙ではないもの）を利用した場合、枚葉紙は平面を有する搬送ベルトによって好適に搬送される。しかし、平面状の搬送ベルトに対して照射部１０１からレーザ光ＬＢが照射されると、搬送ベルト全体を冷却部により強力に冷却する必要が生じる。本実施形態の場合、照射部１０１からレーザ光ＬＢが照射される照射領域Ｄ１にのみ支持ローラ１０５を配しており、レーザ光ＬＢの照射によって最も熱しられやすい部分が支持ローラ１０５の範囲に収まることが期待される。
【００２７】
搬送手段１０７ａおよび１０７ｂは、支持ローラ１０５により支持される用紙ｐに対して搬送路ｒに沿った張力を与える。搬送手段１０７ｂの駆動ローラ１０７２ａは、搬送手段１０７ａの駆動ローラ１０７２ａに比べて回転速度が速くなるように駆動される。したがって、搬送手段１０７ｂの搬送ベルト１０７１の回転速度は搬送手段１０７ａの搬送ベルト１０７１の回転速度よりも速くなる。これにより、搬送手段１０７ａおよび１０７ｂは、用紙ｐに対して搬送路ｒの下流側に向かう張力を与える。
【００２８】
図３において、搬送手段１０７ａの搬送ベルト１０７１が用紙ｐに接する領域Ｄ４、搬送手段１０７ｂの搬送ベルト１０７１が用紙ｐに接する領域Ｄ５、および支持ローラ１０５が用紙ｐに接する領域（照射領域Ｄ１）は、搬送路ｒに垂直な方向（ｚ軸方向）において一致するように並んでいる。ここでいう「一致」には、これらの領域がｚ軸方向において完全に一致した状態だけでなく、所定の誤差の範囲内で両者がずれた状態も含まれる。誤差は、用紙ｐに対して搬送路ｒの下流側に向かう張力が与えられる範囲であれば問題ない。
【００２９】
（変形例）
本発明は、上述の実施形態に限定されるものではなく、種々の変形実施が可能である。以下、変形例をいくつか説明する。以下で説明する変形例のうち、２つ以上のものが組み合わされて用いられてもよい。
【００３０】
（１）変形例１
搬送手段１０７は、支持ローラ１０５に対して搬送路ｒの上流側および下流側にそれぞれ設けられる場合に限らない。搬送手段１０７は、例えば、支持ローラ１０５に対して搬送路ｒの上流側にのみ設けられてもよい。
【００３１】
（２）変形例２
搬送手段の構成は、実施形態に記載したものに限らない。搬送手段は、例えば、搬送ベルトを有していなくてもよい。
【００３２】
図４は、変形例２に係る搬送手段１０８を有する定着装置５１を幅方向の一方側から見た断面模式図である。図４に示す例では、支持ローラ１０５に対して搬送路ｒの上流側に搬送手段１０７が設けられ、また、支持ローラ１０５に対して搬送路ｒの下流側に搬送手段１０８が設けられている。搬送手段１０８は、搬送台１０８１および給紙ローラ１０８２を有する。搬送台１０８１は、用紙ｐを支持する面を有する。給紙ローラ１０８２は、支持ローラ１０５により支持された用紙ｐを搬送路ｒに沿って送り出す一対のローラである。給紙ローラ１０８２は、円筒の中心を軸として矢印Ａ６に示す方向に回転する。変形例２において、搬送手段１０８は、搬送手段１０７と同様に、照射部１０１からみて開口部１０３２の外側に設けられる。具体的には、搬送手段１０８は、搬送台１０８１が、開口部１０３２の搬送方向の下流側の辺よりも下流（矢印Ｄ３で示した領域）にくるように設けられる。なお図４において、冷却部１０６は省略している。
【００３３】
変形例２においても、実施形態と同様に用紙ｐに対して搬送路ｒに沿った張力が与えられる。給紙ローラ１０８２は、駆動ローラ１０７２ａに比べて回転速度が速くなるように駆動される。これにより、用紙ｐが給紙ローラ１０８２に接触すると、用紙ｐに対して搬送路ｒの下流側に向かう張力が与えられる。また、図４において、搬送手段１０７の搬送ベルト１０７１が用紙ｐに接する領域Ｄ４、搬送台１０８１が用紙ｐに接する領域Ｄ６、および支持ローラ１０５が用紙ｐに接する領域（照射領域Ｄ１）は、搬送路ｒに垂直な方向（ｚ軸方向）において一致するように並んでいる。
【００３４】
（３）変形例３
支持ローラ１０５に対して搬送路ｒの上流側または下流側（以下、単に「上流側または下流側」という）に設けられる搬送手段の数は１つである場合に限らない。上流側または下流側には、複数の搬送手段が設けられてもよい。この場合、複数の搬送手段は、開口部１０３２の搬送方向の上流側の辺よりも上流（矢印Ｄ２で示した領域）、または開口部１０３２の搬送方向の下流側の辺よりも下流（矢印Ｄ３で示した領域）に設けられる。またこの場合、複数の搬送手段は同じ構成でなくてもよい。
【００３５】
図５は、変形例３に係る定着装置５２を幅方向の一方側から見た断面模式図である。この例では、支持ローラ１０５に対して搬送路ｒの下流側に搬送手段１０７ｂおよび搬送手段１０８が設けられている。搬送手段１０７ｂおよび搬送手段１０８は、開口部１０３２の搬送方向の下流側の辺よりも下流（矢印Ｄ３で示した領域）に設けられている。また、搬送手段１０８は、搬送手段１０７ｂよりも搬送路ｒの下流側に設けられている。図５において、搬送手段１０７ａの搬送ベルト１０７１が用紙ｐに接する領域Ｄ４、搬送手段１０７ｂの搬送ベルト１０７１が用紙ｐに接する領域Ｄ５、搬送台１０８１が用紙ｐに接する領域Ｄ６、および支持ローラ１０５が用紙ｐに接する領域（照射領域Ｄ１）は、搬送路ｒに垂直な方向（ｚ軸方向）において一致するように並んでいる。なお図５において、冷却部１０６は省略している。
【００３６】
（４）変形例４
上述の実施形態では、ローラの一例として支持ローラ１０５が用紙ｐを支持する例を説明した。この点、ローラは、用紙ｐに接していれば、用紙ｐを支持していなくてもよい。ローラは、例えば、高さ方向に搬送される用紙ｐの裏に接していてもよい。別の例で、ローラは、搬送路ｒに対して高さ方向の上側から用紙ｐの裏に接していてもよい。この場合、照射部１０１は、搬送路ｒに対して高さ方向の下側から用紙ｐの表にレーザ光ＬＢを照射する。
【００３７】
（５）変形例５
光源１０１１は、搬送方向に複数並んでいる場合に限らない。光源１０１１は、搬送方向に１つであってもよい。
【００３８】
（６）変形例６
光学部材１０２は、レーザ光ＬＢを搬送方向に収束させるものに限らない。光学部材１０２は、例えば、レーザ光ＬＢを幅方向に拡散させてもよい。この場合、搬送方向から見た断面が凹型のレンズが光学部材１０２として用いられる。別の例で、一の光源１０１１に対して、レーザ光ＬＢを幅方向に拡散させるレンズと、レーザ光ＬＢを搬送方向に収束させるレンズとが設けられてもよい。さらに別の例で、幅方向に沿って並んだ複数の光源１０１１に対応させて、幅方向に沿って延びる一枚の光学部材が設けられても良い。
【００３９】
（７）その他の変形例
実施形態では、支持ローラ１０５が用紙ｐと照射領域Ｄ１で接する例を説明した。この点、支持ローラ１０５が用紙ｐと接する領域と照射領域Ｄ１とは異なる領域であってもよい。
実施形態では画像形成材料の例としてトナーを示したが、画像形成材料はインクであっても構わない。この場合、インクが光を照射されて乾燥することにより画像が用紙ｐに定着する。
実施形態では、画像形成装置１はカラーの画像を形成するものであったが、モノクロの画像を形成してもよい。
なお本発明は冷却に必要な範囲を狭めることを目的としているが、他の部分の冷却を否定するものではない。副次光照射などの影響を鑑み、支持ローラ１０５以外の部品を冷却しても構わないことは言うまでもない。
【符号の説明】
【００４０】
１…画像形成装置、１０…収容部、２０…供給ローラ、３０…搬送ローラ、４０…転写部、４０１…感光体ドラム、４０２…帯電器、４０３…露光装置、４０４…現像装置、４０５…トナーカートリッジ、４０６…中間転写ベルト、４０７…回転ローラ、４０８…一次転写ローラ、４０９…二次転写ローラ、４１０…バックアップローラ、５０,５１,５２…定着装置、６０…排出ロール、１００…筐体、１０１…照射部、１０１１…光源、１０２…光学部材、１０３…反射部材、１０３１…孔、１０３２…開口部、１０３３…反射面、１０４…仕切り部材、１０５…支持ローラ、１０６…冷却部、１０７,１０８…搬送手段、１０７１…搬送部材（搬送ベルト）、１０７２…駆動ローラ、１０８１…搬送台、１０８２…給紙ローラ
【図１】
2014102347.tif 000003
【図２】
2014102347.tif 000004
【図３】
2014102347.tif 000005
【図４】
2014102347.tif 000006
【図５】
2014102347.tif 000007